(57)【特許請求の範囲】
【請求項１】
容器体内から上方付勢されて起立するステムの上端にノズル付きヘッド２を嵌合させ、該ヘッドを付勢に抗して押下げすることで、容器体内液体がステムを通ってノズルから噴出可能に設けた液体噴出容器において、
上記容器体上部へ周壁12下部を嵌合させた有頂のキャップ状カバー11を有し、該カバーは前後方向からみて上面および前後両面開放の凹部13を有し、該凹部左右の起立部15、15間に上記ヘッド２を、ノズル３を前向きとして位置させ、又上記両起立部のうち一方起立部の左右方向外面には、該起立部を巾挾とする切欠き16を穿設し、又該巾挾起立部15a と他方起立部15との各上部に左右方向の透孔17、17を穿設し、
又上記切欠き16の底面から揺動板20を起立させると共に、該揺動板上端から横方向へ突設した弾性板21を上記両透孔17、17へ、ヘッド２上面を覆って挿通させ、揺動板20を側外方へ揺動させることで、ガード板21先端部が巾挾起立部15a 側へ移動して該状態下にあっては、凹部13上方からのヘッド２の押下げが可能に形成した
ことを特徴とする液体噴出容器。
【請求項２】
上記ガード板21の先端部が他方起立部15の透孔17内にある状態において、ガード板先端部上面をガード板の弾性変形によって透孔上面へ圧接させて形成した
ことを特徴とする請求項１記載の液体噴出容器。
【請求項３】
上記ガード板21先端部が巾挾起立部15a の透孔17内に位置する状態において、ガード板先端部の上面を透孔の上面へガード板の弾性変形により圧接させて形成した
ことを特徴とする請求項１記載の液体噴出容器。
【請求項４】
上記揺動板20の左右方向横巾を大とすると共に、該揺動板の下端外縁を薄肉ヒンジ19を介して切欠き16底面の外方上面へ連結した
ことを特徴とする請求項１、２又は３記載の液体噴出容器。
【発明の詳細な説明】
【０００１】
【発明の属する技術分野】
本発明は、液体噴出容器に関する。
【０００２】
【従来の技術】
容器体内から上方付勢されて起立するステム上端にノズル付きヘッドを嵌合させ、該ヘッドを付勢に抗し押下げることで、容器体内液体がステムを通ってノズルから噴出可能に設けた液体噴出容器は従来広く用いられている。
【０００３】
【発明が解決しようとする課題】
上記容器は、ヘッド押下げによって液体を噴出するから、何等かの理由によって誤ってヘッドが押されても液体噴出することとなる。
【０００４】
本発明は、不使用時には安全装置を行うことでその不用意な液体噴出を防止可能とするものである。
【０００５】
【課題を解決するための手段】
第１の手段として、容器体内から上方付勢されて起立するステムの上端にノズル付きヘッド２を嵌合させ、該ヘッドを付勢に抗して押下げすることで、容器体内液体がステムを通ってノズルから噴出可能に設けた液体噴出容器において、
上記容器体上部へ周壁12下部を嵌合させた有頂のキャップ状カバー11を有し、該カバーは前後方向からみて上面および前後両面開放の凹部13を有し、該凹部左右の起立部15、15間に上記ヘッド２を、ノズル３を前向きとして位置させ、又上記両起立部のうち一方起立部の左右方向外面には、該起立部を巾挾とする切欠き16を穿設し、又該巾挾起立部15a と他方起立部15との各上部に左右方向の透孔17、17を穿設し、
又上記切欠き16の底面から揺動板20を起立させると共に、該揺動板上端から横方向へ突設したガード板21を上記両透孔17、17へ、ヘッド２上面を覆って挿通させ、揺動板20を側外方へ揺動させることで、ガード板21先端部が巾挾起立部15a 側へ移動して該状態下にあっては、凹部13上方からのヘッド２の押下げが可能に形成した。
【０００６】
第２の手段として上記第１の手段を有すると共に、上記ガード板21の先端部が他方起立部15の透孔17内にある状態において、ガード板先端部上面をガード板の弾性変形によって透孔上面へ圧接させて形成した。
【０００７】
第３の手段として上記第１の手段を有すると共に、上記ガード板21先端部が巾挾起立部15a の透孔17内に位置する状態において、ガード板先端部の上面を透孔の上面へガード板の弾性変形により圧接させて形成した。
【０００８】
第４の手段として上記第１、第２、第３の手段を有すると共に、上記揺動板20の左右方向横巾を大とすると共に、該揺動板の下端外縁を薄肉ヒンジ19を介して切欠き16底面の外方上面へ連結した。
【０００９】
【発明の実施の形態】
以下図面が示すエアゾール式の液体噴出容器を例にとって説明すると、１は容器体、２は容器体頂壁中央部に貫設させて上方付勢状態に起立するステム上端に嵌合されたノズル３付きのヘッドである。
【００１０】
上記容器体上部に周壁12下部を嵌合させてドーム形状のキャップ状カバー11を設けている。該カバーは、ノズルからの液体噴出方向を前方と定めた場合、前後方向からみて上面および前後両面開放のＵ字形状の凹部13を有する。該凹部はその内面を内壁で閉塞するが、その内壁底部の中央部は開口14し、該開口内へ、既述ヘッド２の下端を位置させ、凹部左右の起立部15、15間にヘッド２を前向きに設けている。
【００１１】
上記両起立部15、15のうち、一方の起立部の左右方向外面には該起立部を巾挾とする切欠き16を設けて該起立部を巾挾起立部15a としている。その切欠き16は前後方向からみてＬ字形状に、つまり起立面と該起立面下端から横方向へ延びる底面とで形成している。
【００１２】
上記巾挾起立部15a と他方起立部15との各上部には、左右方向への透孔17、17を穿設する。これ等透孔の位置はヘッド２上面よりも上方に設ける。巾挾起立部の透孔17は左右方向へ貫通させるが、他方起立部の透孔17は上記内壁部分上部へだけ穿設し、カバー外壁面上部へは穿設させないことが外見上望ましい。尚図示例においては、他方起立部15の上端内面部を上内方への傾斜壁18として該傾斜壁に透孔17を穿設している。
【００１３】
既述切欠き16底面の外端縁からは、肉薄ヒンジ19を介して揺動板20を起立し、該揺動板上端から横方向へ弾性変形可能なガード板21を突出し、該ガード板を透孔17、17内へ挿通させる。揺動板20は、図示のようにその前端および後端に横板22、22を、かつ横板上端をガード板基部の前後両面へ付設して左右方向横巾を大として形成するとよい。ガード板21は図１のようにその先端部が他方起立部15の透孔17内にある状態において、その先端部上面がガード板の弾性変形により透孔17上面へ圧接するよう設けている。又図２のようにガード板先端部が巾挾起立部15a の透孔17内に位置する状態においては、その先端部上面が透孔上面へ、ガード板の弾性変形により圧接するよう設ける。
【００１４】
図３は揺動板20を倒し、かつガード板21を両起立部の透孔17、17から抜出した状態を示すもので、カバー11は、該状態で合成樹脂材で一体成形した後、図１のようにガード板21を弾性に抗して撓め、透孔17、17に挿通させればよい。
【００１５】
【発明の効果】
本発明は既述構成とするものであり、請求項１記載のようにすることで、不使用時には図１のように両透孔17、17にガード板21を通しておくことでヘッド２が不用意に押下げされることがなく、又使用時には図２のように揺動板20を外方へ傾け、ガード板先端を巾挾起立部15a の透孔17内へ移動させることでヘッドの押下げが可能とすることができ、揺動板20を介してガード板21を移動できるからその操作が容易である。又揺動板20は巾挾起立部15a の外方に設けた切欠き16の底面から起立させたから、その揺動板20を切欠き16の範囲内に納めることが出来て、その揺動板20がカバー11の外方へ突出して邪魔となることがない。
【００１６】
請求項２のようにすることで、ガード板21の先端部上面と他方起立部15の透孔17上面との摩擦抵抗で、ガード板先端が該他方起立部の透孔17から不用意に抜け出し、ヘッド２上方が開放されることを防止できる。
【００１７】
請求項３のようにすることで、ガード板先端を巾挾起立部15a の透孔17上面へ、摩擦抵抗により接したままの状態を保持でき、ガード板先端部がヘッド上方へ移動してヘッドの押下げを妨げたり、又ガード板先端が透孔17から外れて再挿入が必要となる面倒がない。
【００１８】
請求項４のように形成することで、両透孔17、17内へガード板21を挿通させた状態であっても、巾広に形成された揺動板20上部は巾挾起立部の透孔17の外方に位置するから、巾広としたその揺動板上部を持って行うガード板21の抜出しおよび差込み操作が容易となる。
【図面の簡単な説明】
【図１】  本発明容器の要部の斜視図である。
【図２】  液体噴出操作状態で示す、斜視図である。
【図３】  容器主要部材であるカバーの斜視図である。
【符号の説明】
11…カバー                  13…凹部
15…起立部                  15a …巾挾起立部
16…切欠き                  19…肉薄ヒンジ
20…揺動板                  21…ガード板
【図１】
0004203937.tif 000002
【図２】
0004203937.tif 000003
【図３】
0004203937.tif 000004